(57)【要約】      （修正有）【課題】美観そして掃除・メンテナンスしやすい効果を持つ流し台を提供する。【解決手段】シンク１、連接部品２、および、排水装置を備える。シンク１は、シンク１内の水を排出する排水口１０を有し、排水口１０の底部に底壁が設けられている。連接部品２は、シンク１の排水口１０の下方にある底壁に設置されており、シンク１の排水口１０の開口部の形と同じ形を有し、１つの外部リング２０が設置されており、外部リング２０がシンク１の排水口１０の底壁と結合しており、外部リング２０の内側に凹部２３が形成されており、水を連接部品２の中央位置に集中させ、残留水分を排出可能であり、凹部２３に複数個の排水孔２３１が設けられており、ろ過及び排水効果を有する。排水装置は、連接部品２の下方に設置されており、排水管と連結しており、シンク１内の水を外部へ排出する。【選択図】図１
0003203799.tif 000002
【実用新案登録請求の範囲】
【請求項１】
排水装置構造を有する流し台であって、
シンク、連接部品、および、排水装置を備え、
シンクは、シンク内の水を排出する排水口を有し、排水口の底部に底壁が設けられており、
連接部品は、シンクの排水口の下方にある底壁に設置されており、シンクの排水口の開口部の形と同じ形を有し、１つの外部リングが設置されており、外部リングがシンクの排水口の底壁と結合しており、外部リングの内側に凹部が形成されており、水を連接部品の中央位置に集中させ、残留水分を排出可能であり、凹部に複数個の排水孔が設けられており、ろ過及び排水効果を有し、
排水装置は、連接部品の下方に設置されており、排水管と連結しており、シンク内の水を外部へ排出することを特徴とする流し台。
【請求項２】
排水口の底壁と連接部品の外部リングは複数個の止め穴が設置されており、
排水口の底壁の止め穴にジャック用ナットが設置されており、
連接部品とシンクとがねじにより固定されていることを特徴とする請求項１記載の流し台。
【請求項３】
シンクの排水口の底壁と連接部品の外部リングとは、溶接方式又は接着方式により結合されていることを特徴とする請求項１記載の流し台。
【考案の詳細な説明】
【技術分野】
【０００１】
本考案は流し台に関する。
【背景技術】
【０００２】
従来の流し台は、特許文献１に記載の「石製流し台類商品の排水構造改良」従来の流し台は、特許文献１の第１、２、３、６図に示すように、石製流し台類商品３の予設穴３１上方に１つの凹入リングを設置することにより、排水装置１本体１１上方に凸出リングを設置することにより、排水装置１を支え、石製流し台類商品３の予設穴３１上に設置する。
【０００３】
しかし従来の流し台は、排水装置１本体１１の凸出リングを石製流し台類商品３の予設穴３１と緊密に結合し、漏れ防止効果を達成するために、該当石製流し台類商品３の予設穴３１の凹入リングと排水装置１本体１１の凸出リングとの間に１つの止水ワッシャ２４を設置することにより、該当石製流し台類商品３と排水装置１の接合部との間に１つの隙間を形成させ、かつ該当止水ワッシャ２４の厚さに関係なく、又は止水ワッシャ２４を設置しなくても、該当石製流し台類商品３と排水装置１との接合部に１つの隙間を形成する。使用者が流し台を洗浄した後、該当隙間に水が溜まり、水垢が形成しやすいので、カビや臭いが発生し、かつ該当隙間は非常に小さいために、掃除しにくく、かつ流し台の美観や環境衛生に影響を与え、また実用性に欠ける。
【０００４】
ゆえに本考案者は、長年の流し台関連商品の研究開発と製造経験を生かして、前述した従来の流し台排水装置の欠点を改良し、本考案を創作した。
【先行技術文献】
【特許文献】
【０００５】
【特許文献１】台湾実用新案第Ｍ４６７６９１号明細書
【考案の開示】
【考案が解決しようとする課題】
【０００６】
本考案の目的は、各種形状（例：円形、楕円形、方形多辺形又は不規則形等の形状）と材質（アクリル人造石、天然鉱石、磁器、金属又はプラスチック等の材質）のキッチン、バス・トイレ、洗面台又は洗浄槽用の流し台に、流し台排水口底壁に連接部品を設置することにより、流し台と排水装置との間の隙間をなくし、また従来の流し台と排水装置の接合部に存在する隙間の汚れにより臭いが発生し、また掃除しにくいために、流し台の美観問題を解決し、かつ流し台の排水口に排水装置を固定するために、凹入リングの設置も不要になるので、流し台の排水口が流線形でより一層美しくなり、かつ洗浄がより便利になり、流し台と排水装置の継ぎ目のない結合を達成し、美観そして掃除・メンテナンスしやすい効果を持つ流し台を提供することにある。
【課題を解決するための手段】
【０００７】
本考案の流し台は、排水装置構造を有する流し台であって、シンク、連接部品、および、排水装置を備える。シンクは、シンク内の水を排出する排水口を有し、排水口の底部に底壁が設けられている。連接部品は、シンクの排水口の下方にある底壁に設置されており、シンクの排水口の開口部の形と同じ形を有し、１つの外部リングが設置されており、外部リングがシンクの排水口の底壁と結合しており、外部リングの内側に凹部が形成されており、水を連接部品の中央位置に集中させ、残留水分を排出可能であり、凹部に複数個の排水孔が設けられており、ろ過及び排水効果を有する。排水装置は、連接部品の下方に設置されており、排水管と連結しており、シンク内の水を外部へ排出する。
【０００８】
これにより、排水装置の連接部品をシンクの排水口の下方に設置し、シンクと排水装置が１つの継ぎ目のない構造を形成させることにより、シンクと排水装置の連接部の汚れを抑制し、シンクと排水装置の継ぎ目のない結合を実現し、美観、掃除、メンテナンスしやすい効果を有する。
【図面の簡単な説明】
【０００９】
【図１】本考案の第一実施形態による流し台を示す分解斜視図である。
【図２】本考案の第一実施形態による流し台の連接部品を示す斜視図である。
【図３】本考案の第一実施形態による流し台の連接部品を示す断面図である。
【図４】本考案の第一実施形態による流し台を示す平面図である。
【図５】図４のＡ−Ａ線断面図である。
【図６】図５の要部拡大図である。
【図７】本考案の第二実施形態による流し台の要部を示す拡大図である。
【図８】本考案の第三実施形態による流し台の要部を示す拡大図である。
【図９】本考案の第四実施形態による流し台の要部を示す拡大図である。
【考案を実施するための形態】
【００１０】
本考案の継ぎ目のない排水装置構造を有する流し台の実施形態は、図１〜９に示すように、シンク１、アクリル人造石、石、磁器、金属又はプラスチック等の各種材質で製作したシンクを含む。前述したシンク１に排水口１０を設け、シンク１内の水を排出し、前述した排水口１０の底部に底壁１００を設け、かつ前述したシンク１の排水口１０に１つの蓋１１を設置することにより、シンク１での貯水が可能である。
【００１１】
連接部品２、前述したシンク１の排水口１０の下方にある底壁１００に設置し、該当連接部品２の形はシンク１の排水口１０の穴径に合わせて設置し、また連接部品２に１つの外部リングを設置することによって、該当外部リングと前述したシンクの排水口の底壁を結合させ、前述した連接部品の外部リング内側に凹部を設置することにより、該当外部リング２０と前述したシンク１の排水口１０の底壁１００を結合させ、前述した連接部品２の外部リング２０と前述した排水口１０の底壁１００との間に１つの漏れ防止ワッシャ２１を設置し、連接部品２と前述した排水口１０の接合部からの水漏れを防ぐことができる。
【００１２】
前述した排水口１０の底壁１００と連接部品２の外部リング２０、又は前述した排水口１０の底壁１００、連接部品２の外部リング２０と漏れ防止ワッシャ２１に複数個の対応する止め穴１０１、２００、２１０（図１、５、６、９参照）を設置し、また排水口１０底壁１００の止め穴１０１にジャック用ナット１０２（図７参照）を設けることにより、ねじ２２で連接部品２とシンク１を締め固定することができる。又は図８に示す如く、シンク１は厚さが比較的薄い場合（例えば金属材質又は磁器材質により製作したシンク１）、シンク１の排水口１０の底壁１００と連接部品２の外部リング２０との間を溶接方式又は接着方式で結合させることにより、特殊構造又は材質のシンク１が固定できない問題を解決する。
【００１３】
前述した連接部品２の外部リング２０内側に凹部２３を設置することによって、水を連接部品２の中央位置に集中させ、残留水分を排出する。前述した凹部２３に１つの止め穴２３０を設置することによって、該当止め穴で排水装置３を締め固定し、かつ前述した凹部２３に複数個の排水孔２３１を設け、ろ過及び排水効果を達成する。又はニーズによって、図９に示す如く、前述した連接部品２に止め穴を設置せず、代わりに該当連接部品２の底部の延伸部に１つの結合リング２４を設置し、該当結合リング２４にねじ山２４０を設置することにより、１つの排水装置３を螺合することができる。
【００１４】
排水装置３、前述した連接部品２の下方に設置することによって、該当排水装置３と排水管を連接させ、またニーズによって、シンク１内の水を外部へ排出させ、前述した排水装置を閉合方式、噛み合う方式又は螺合方式で連接部品２と結合させ、かつ前述した排水装置３と連接部品２との間に１つの漏れ防止部品３０を設置することにより、排水装置３と連接部品２の接合部からの水漏れを防ぐことができる。
【００１５】
よって本考案は、シンク１の排水口１０にある底壁１００に連接部品２を設置するだけで、従来のシンクと排水装置の接合部に存在する隙間の汚れにより臭いが発生し、掃除しにくいために、シンクの美観問題を効果的に解決し、かつ本考案のシンク１の排水口１０に排水装置を固定するために、凹入リングの設置も不要になるので、シンク１の排水口が流線形でより一層美しくなり、かつ洗浄がより便利になり（図５〜９参照）、シンクと排水装置の継ぎ目のない結合を達成し、美観そして掃除・メンテナンスしやすい効果を持つことは本考案の構成である。
【００１６】
本考案の態様又は使用方式は、以上述べた実施形態に限定されるものではない。本考案の属する技術の分野における通常の知識を有する者であれば、実用新案登録請求の範囲に記載された技術的思想の範疇内において、各種の変更例または修正例に想到し得ることは明らかであり、これらについても、当然に本考案の技術的範囲に属するものと了解される。
【符号の説明】
【００１７】
１  シンク、
１０  排水口、
１００  底壁、
１０１  止め穴、
１０２  ジャック用ナット、
１１  蓋、
２  連接部品、
２０  外部リング、
２００  止め穴、
２１  漏れ防止ワッシャ、
２１０  止め穴、
２２  ねじ、
２３  凹部、
２３０  止め穴、
２３１  排水孔、
２４  結合リング、
２４０  ねじ山、
３  排水装置、
３０  漏れ防止部品。
【図１】
0003203799.tif 000003
【図２】
0003203799.tif 000004
【図３】
0003203799.tif 000005
【図４】
0003203799.tif 000006
【図５】
0003203799.tif 000007
【図６】
0003203799.tif 000008
【図７】
0003203799.tif 000009
【図８】
0003203799.tif 000010
【図９】
0003203799.tif 000011